(57)【要約】【課題】ヘッドフォンとスピーカを一体に搭載したヘッドフォン型音響装置の性能の向上。【解決手段】このヘッドフォン型音響装置は、各々ヘッドフォンユニットを搭載した一対のハウジングブロックと、各々のハウジングブロックを両端部に支持し、かつ一対のスピーカユニットを搭載したヘッドバンド部と、ユーザによる装着形態を推定するための情報を取得する１以上のセンサーと、１以上のセンサーの出力をもとに装着形態を推定し、前記推定された装着形態をもとに一対のヘッドフォンユニットおよび一対のスピーカユニットの出力を制御する制御部とを具備する。【選択図】図１
2015037246.tif 000002
【特許請求の範囲】
【請求項１】
各々ヘッドフォンユニットを搭載した一対のハウジングブロックと、
前記各々のハウジングブロックを両端部に支持し、かつ一対のスピーカユニットを搭載したヘッドバンド部と、
ユーザによる装着形態を推定するための情報を取得する１以上のセンサーと、
前記１以上のセンサーの出力をもとに前記装着形態を推定し、前記推定された装着形態をもとに前記一対のヘッドフォンユニットおよび前記一対のスピーカユニットの出力を制御する制御部と
を具備するヘッドフォン型音響装置。
【請求項２】
請求項１に記載のヘッドフォン型音響装置であって、
前記制御部は、前記推定された装着形態に応じて、前記一対のヘッドフォンユニットの出力をオンにするか、前記一対のスピーカユニットの出力をオンにするかを決定する
ヘッドフォン型音響装置。
【請求項３】
請求項１に記載のヘッドフォン型音響装置であって、
前記推定対象の装着形態が、少なくとも前記一対のハウジングブロックおよび前記ヘッドバンド部との係合による第１の装着形態と、前記ヘッドバンド部との係合による第２の装着形態とを含み、
前記制御部は、前記第１の装着形態が推定されたとき、少なくとも前記一対のヘッドフォンユニットをオンにし、前記第２の装着形態が推定されたとき、少なくとも前記一対のスピーカユニットをオンにする
ヘッドフォン型音響装置。
【請求項４】
請求項３に記載のヘッドフォン型音響装置であって、
前記制御部は、前記第２の装着形態が推定されたとき、前記一対のスピーカユニットと前記一対のヘッドフォンユニットをともにオンにする
ヘッドフォン型音響装置。
【請求項５】
請求項３に記載のヘッドフォン型音響装置であって、
前記検出部が、
前記第１の装着形態で前記一対のハウジングブロックにおいてユーザと接触し得る部位と、前記ヘッドハンド部においてユーザと接触し得る部位に各々設けられた１以上の圧力センサーおよび１以上の人感センサーを有し、
前記制御部は、前記１以上の圧力センサーおよび前記１以上の人感センサーによる検出結果をもとに、前記装着形態を推定する
ヘッドフォン型音響装置。
【請求項６】
請求項５に記載のヘッドフォン型音響装置であって、
前記制御部は、前記１以上の圧力センサーおよび前記１以上の人感センサーによる検出結果をもとに前記第１の装着形態から前記第２の装着形態への移行状態を推定し、この移行状態が推定されたとき、前記第２の装着形態が推定される前に前記スピーカユニットをオンにし、かつ前記第２の装着形態が推定されるまで前記ヘッドフォンユニットをオンに保つ
ヘッドフォン型音響装置。
【請求項７】
請求項６に記載のヘッドフォン型音響装置であって、
前記制御部は、前記第１の装着形態の終了が推定された後、一定時間前記ヘッドフォンユニットの出力を前記第１の装着形態時の出力より大きくし、前記一定時間経過後、徐々に出力を小さくする
ヘッドフォン型音響装置。
【請求項８】
請求項５に記載のヘッドフォン型音響装置であって、
前記制御部は、前記１以上の圧力センサーおよび前記１以上の人感センサーによる検出結果をもとに、前記ヘッドフォン型音響装置が前記一対のハウジングブロックで自立した第１の設置状態を推定し、前記一対のスピーカユニットをオンにする
ヘッドフォン型音響装置。
【請求項９】
請求項５に記載のヘッドフォン型音響装置であって、
前記制御部は、前記１以上の圧力センサーおよび前記１以上の人感センサーによる検出結果をもとに、前記ヘッドフォン型音響装置が前記ヘッドバンド部を支点に吊り下げられて設置されている第２の設置状態を推定し、前記一対のスピーカユニットをオンにする
ヘッドフォン型音響装置。
【請求項１０】
各々ヘッドフォンユニットを搭載した一対のハウジングブロックと、
前記各々のハウジングブロックを両端部に支持し、かつ一対のスピーカユニットを搭載したヘッドバンド部と、
ユーザによる装着形態を推定するための情報を取得する１以上のセンサーと、
を準備し、
制御部により、前記１以上のセンサーの出力をもとに前記装着形態を推定し、前記推定された装着形態をもとに前記一対のヘッドフォンユニットおよび前記一対のスピーカユニットの出力を制御する
ヘッドフォン型音響装置の制御方法。
【発明の詳細な説明】
【技術分野】
【０００１】
本技術は、音楽を聴くときに用いられるヘッドフォンとスピーカを一体に搭載したヘッドフォン型音響装置およびその制御方法に関する。
【背景技術】
【０００２】
ヘッドフォンの多くは、密閉型と呼ばれるタイプである。密閉型のヘッドフォンは、ヘッドフォンユニットと耳との間に存在する密閉空間で最適な音をつくりだすように構成された音響装置である。一方、スピーカは、ある程度の距離をとって音を聴くことを前提に設計される。ヘッドフォンとスピーカは構造的には近いものであり、最も大きな違いは空気を振動させるパワー（音圧）の違いにあるといってもよい。すなわち、ヘッドフォンは上記の密閉空間の空気を振動させる程度のパワーでよいが、スピーカはユーザとの間の空間を振動させるために大きなパワーを必要とする。
【０００３】
特許文献１には、ヘッドフォンスピーカの出力パワーを、切替スイッチの操作によって、ヘッドフォン用の小さいレベルとスピーカ用の大きいレベルとの間で切り替えることによって、ヘッドフォン機能とスピーカ機能の２つの機能を兼ね備えたヘッドフォンが開示されている。
【０００４】
しかしながら、上記特許文献１のヘッドフォンでは、ハウジング内に設けられたスピーカユニットの出力パワーをヘッドフォン用の小さいレベルとスピーカ用の大きいレベルとの間で切り替えるだけのものである。このため、スピーカとしてスピーカユニットを使用する場合には、据え置き型のスピーカとして使用しなければならない。このとき、左右のハウジング内に設けられたスピーカユニット間の距離がステレオ再生において十分なステレオ効果を発揮するのに不十分である。
【先行技術文献】
【特許文献】
【０００５】
【特許文献１】特開２０１０−７４８３１号公報（段落［００１９］等）
【発明の概要】
【発明が解決しようとする課題】
【０００６】
ヘッドフォンとスピーカを一体に搭載したヘッドフォン型音響装置においては、例えば、その使いやすさやスピーカの音質などの性能向上が望まれていた。
【０００７】
以上のような事情に鑑み、本技術の目的は、ヘッドフォンとスピーカを一体に搭載したヘッドフォン型音響装置の性能の向上を図ることにある。
【課題を解決するための手段】
【０００８】
上記課題を解決するために、本技術に係るヘッドフォン型音響装置は、各々ヘッドフォンユニットを搭載した一対のハウジングブロックと、前記各々のハウジングブロックを両端部に支持し、かつ一対のスピーカユニットを搭載したヘッドバンド部と、ユーザによる装着形態を推定するための情報を取得する１以上のセンサーと、前記１以上のセンサーの出力をもとに前記装着形態を推定し、前記推定された装着形態をもとに前記一対のヘッドフォンユニットおよび前記一対のスピーカユニットの出力を制御する制御部とを具備する。
【０００９】
前記制御部は、前記推定された装着形態に応じて、前記一対のヘッドフォンユニットの出力をオンにするか、前記一対のスピーカユニットの出力をオンにするかを決定することとしてもよい。
【００１０】
前記推定対象の装着形態が、少なくとも前記一対のハウジングブロックおよび前記ヘッドバンド部との係合による第１の装着形態と、前記ヘッドバンド部との係合による第２の装着形態とを含み、前記制御部は、前記第１の装着形態が推定されたとき、少なくとも前記一対のヘッドフォンユニットをオンにし、前記第２の装着形態が推定されたとき、少なくとも前記一対のスピーカユニットをオンにすることとしてよい。
【００１１】
前記制御部は、前記第２の装着形態が推定されたとき、前記一対のスピーカユニットと前記一対のヘッドフォンユニットをともにオンにするようにしてもよい。
【００１２】
前記検出部が、前記第１の装着形態で前記一対のハウジングブロックにおいてユーザと接触し得る部位と、前記ヘッドハンド部においてユーザと接触し得る部位に各々設けられた１以上の圧力センサーおよび１以上の人感センサーを有し、前記制御部は、前記１以上の圧力センサーおよび前記１以上の人感センサーによる検出結果をもとに、前記装着形態を推定することとしてよい。
【００１３】
前記制御部は、前記第１の装着形態の終了が推定された後、一定時間前記ヘッドフォンユニットの出力を前記第１の装着形態時の出力より大きくし、前記一定時間経過後、徐々に出力を小さくすることとしてよい。
【００１４】
前記制御部は、前記１以上の圧力センサーおよび前記１以上の人感センサーによる検出結果をもとに、前記ヘッドフォン型音響装置が前記一対のハウジングブロックで自立した第１の設置状態を推定し、前記一対のスピーカユニットをオンにするようにしてもよい。
【００１５】
前記制御部は、前記１以上の圧力センサーおよび前記１以上の人感センサーによる検出結果をもとに、前記ヘッドフォン型音響装置が前記ヘッドバンド部を支点に吊り下げられて設置されている第２の設置状態を推定し、前記一対のスピーカユニットをオンにするようにしてもよい。
【００１６】
本技術の別の側面であるヘッドフォン型音響装置の制御方法は、各々ヘッドフォンユニットを搭載した一対のハウジングブロックと、前記各々のハウジングブロックを両端部に支持し、かつ一対のスピーカユニットを搭載したヘッドバンド部と、ユーザによる装着形態を推定するための情報を取得する１以上のセンサーと、を準備し、制御部により、前記１以上のセンサーの出力をもとに前記装着形態を推定し、前記推定された装着形態をもとに前記一対のヘッドフォンユニットおよび前記一対のスピーカユニットの出力を制御するというものである。
【発明の効果】
【００１７】
以上のように、本技術によれば、ヘッドフォンとスピーカを一体に搭載したヘッドフォン型音響装置の性能向上を図ることができる。
【図面の簡単な説明】
【００１８】
【図１】本技術に係る第１の実施形態のヘッドフォン型音響装置の外観を示す図である。
【図２】図１のヘッドフォン型音響装置の構成を示す断面図である。
【図３】スピーカユニットの縦断面図である。
【図４】スピーカユニットの横断面図である。
【図５】スピーカユニット２４の構成をカバー類を取り外して示す外観図である。
【図６】本実施形態のヘッドフォン型音響装置のヘッド装着形態を示す図である。
【図７】本実施形態のヘッドフォン型音響装置の首掛け形態を示す図である。
【図８】本実施形態のヘッドフォン型音響装置の電気的な構成を示す図である。
【図９】スピーカ位置の調整方法を示す図である。
【図１０】図１のヘッドフォン型音響装置のヘッド装着形態を示す図である。
【図１１】図１のヘッドフォン型音響装置の首掛け形態を示す図である。
【図１２】誤った向きでの首掛け形態を示す図である。
【図１３】図１のヘッドフォン型音響装置の机上設置状態を示す図である。
【図１４】図１のヘッドフォン型音響装置の壁掛け状態を示す図である。
【図１５】図１のヘッドフォン型音響装置の変形例１を示す図である。
【図１６】変形例２のヘッドフォン型音響装置の電気的な構成を示す図である。
【図１７】変形例３のヘッド装着形態から首掛け形態への移行時のヘッドフォン出力とスピーカ出力の変化を示すタイムチャートである。
【図１８】変形例４のヘッドフォン型音響装置の電気的な構成を示す図である。
【発明を実施するための形態】
【００１９】
以下、本技術に係る実施形態を、図面を参照しながら説明する。
＜第１の実施形態＞
［ヘッドフォン型音響装置の構成］
図１は、本技術に係る第１の実施形態のヘッドフォン型音響装置の外観を示す図である。
同図に示すように、ヘッドフォン型音響装置１００は、ヘッドバンド１０、左右のスライダブロック２０Ｒ，２０Ｌ、左右のハンガー３０Ｒ，３０Ｌ、および左右のハウジングブロック４０Ｒ，４０Ｌを備える。
なお、符号の"Ｒ"は右、"Ｌ"は左を意味し、左右は本ヘッドフォン型音響装置１００を装着したユーザからの向きとする。
【００２０】
ヘッドバンド１０は、人体の頭部あるいは首の部分に引っ掛けられることが可能なように、例えば全体的に略所定の曲率で湾曲し、フレキシブル性を有する、たとえば合成樹脂製の薄板などからなる。ヘッドバンド１０の両端部にはそれぞれスライダブロック２０Ｒ，２０Ｌおよびハンガー３０Ｒ，３０Ｌを介してハウジングブロック４０Ｒ，４０Ｌが取り付けられる。ここで、ヘッドバンド１０と左右のスライダブロック２０Ｒ，２０Ｌを特許請求の範囲では「ヘッドバンド部」と総称している。
【００２１】
図２は図１のヘッドフォン型音響装置１００の構成を示す断面図である。
スライダブロック２０Ｒ，２０Ｌはそれぞれ、スライダベース２１、スライダカバー２２、ハンガー連結部２３、およびスピーカユニット２４を有する。
【００２２】
スライダベース２１には、ヘッドバンド１０の一方の端部１１をスライド自在に保持するために、ヘッドバンド１０の一方の端部１１が挿入される挿入部２５と、挿入部２５の内側に設けられ、ヘッドバンド１０の端部１１の面に設けられた突起部などの掛止部（図示せず）を掛止してヘッドバンド１０の挿入位置をロックする掛止構造（図示せず）などが設けられている。ユーザは、ヘッドバンド１０の一方の端部１１の挿入量を適宜マニュアル調整することによって、ユーザの左右の耳に各々のハウジングブロック４０Ｒ，４０Ｌを合わせることができる。
【００２３】
スライダカバー２２は、スライダベース２１の外装用のカバーである。
ハンガー連結部２３は、後述するハンガー３０Ｒ，３０Ｌと連結される部分である。
スライダブロック２０Ｒ，２０Ｌにはそれぞれ、本実施形態のヘッドフォン型音響装置１００をスピーカとして機能させるために必要な部品群を含むスピーカユニット２４が固定されている。ここで言う「スピーカ」とは、周囲の開放された空間の空気を振動させて音をユーザに伝える音響装置であり、ハウジングブロックにより密閉された空気を振動させて音をユーザに伝える「ヘッドフォン」とは異なる意味の用語としてこの明細書においては使用する。
【００２４】
ハンガー３０Ｒ，３０Ｌは、スライダブロック２０Ｒ，２０Ｌのハンガー連結部２３との連結用の第１の連結部３１と、ハウジングブロック４０Ｒ，４０Ｌとの連結用の第２の連結部３２（図１参照）を有する。第１の連結部３１は軸部３３を有する。この軸部３３は、スライダブロック２０Ｒ，２０Ｌのハンガー連結部２３に設けられた軸受部２７に連結される。軸受部２７はハンガー３０Ｒ，３０Ｌの第１の連結部３１の軸部３３を回転自在に保持するための部品である。このようにハンガー３０Ｒ，３０Ｌの第１の連結部３１の軸部３３がスライダブロック２０Ｒ，２０Ｌのハンガー連結部２３の軸受部２７に連結されることによって、ハンガー３０Ｒ，３０Ｌは、スライダブロック２０Ｒ，２０Ｌに対して軸回り方向に回動自在な状態で連結される。
【００２５】
なお、軸部３３を有する第１の連結部３１はハンガー３０Ｒ，３０Ｌに一体成形で設けられることによって、十分な耐久性が与えられている。
【００２６】
一方、ハンガー３０Ｒ，３０Ｌの第２の連結部３２（図１参照）はハウジングブロック４０Ｒ，４０Ｌを回動自在に支持する。この第２の連結部３２は、上記第１の連結部３１における軸部３３の軸方向に対して直交する軸方向にハウジングブロック４０Ｒ，４０Ｌを回動自在とするように構成される。第２の連結部３２は、第１の連結部３１付近から二股状に延ばして設けられた二股部３４と、二股部３４の各々の先端部に設けられた軸部３５とを有する。
【００２７】
軸部３５は、二股部３４の、ハウジングブロック４０Ｒ，４０Ｌのハウジング４２に対向する面から突出して設けられている。左右のハンガー３０Ｒ，３０Ｌ各々の軸部３５は、ハウジング４２の中心を通る一本の直線上に揃うように配置され、実質的には一体の軸として機能する。左右のハンガー３０Ｒ，３０Ｌ各々の軸部３５は、ハウジング４２に設けられた軸受穴（図示せず）に挿入され、保持される。
【００２８】
［ハウジングブロック４０Ｒ，４０Ｌの構成］
次に、ハウジングブロック４０Ｒ，４０Ｌの構成を説明する。
ハウジングブロック４０Ｒ，４０Ｌは各々、バッフル４１、ハウジング４２、イヤパッド４３、ヘッドフォンユニット４４、および配線基板４５などを有する。
【００２９】
バッフル４１は、ハウジング４２、イヤパッド４３、ヘッドフォンユニット４４を固定する略円板状の基材である。
ハウジング４２は、ヘッドフォンユニット４４を覆うための略円筒状の箱体である。
イヤパッド４３は、ユーザの耳を覆うためのクッション性を有する略ドーナツ状の部品である。
なお、バッフル４１、ハウジング４２、イヤパッド４３の各々の形状は記述のものに限定されない。
【００３０】
ヘッドフォンユニット４４は、電気信号を空気の振動（音）に変換するための振動板および磁気回路（例えばマグネットおよびボイスコイルなど）などで構成される。
【００３１】
配線基板４５は、プロセッサ１１０、メモリ、その他、オーディオ再生機器の機能を実現するために必要な集積回路、その他の電子部品が実装された基板である。
【００３２】
なお、例えば、ハウジング４２には、ユーザ操作部１１４（図８参照）の一部であるスライドスイッチ４６、その他、プッシュスイッチ、ジョグダイアルなどのスイッチ類が設けられている。
【００３３】
［スピーカユニットの構成］
次に、スピーカユニット２４の構成を説明する。
本実施形態のヘッドフォン型音響装置１００には、音を出力するデバイスとして、ハウジングブロック４０Ｒ，４０Ｌ内のヘッドフォンユニット４４の他、スピーカユニット２４が設けられている。
【００３４】
スピーカユニット２４は、左右のスライダブロック２０Ｒ，２０Ｌに各々配置される。スピーカユニット２４は、スライダブロック２０Ｒ，２０Ｌの所定の一面、すなわち、ヘッドフォン型音響装置１００をユーザの頭部や首に掛けて装着したとき外側を向く一方の面に設けられている。
【００３５】
図３はスピーカユニット２４の構成を示す縦断面図、図４はスピーカユニット２４の横断面図、図５はスピーカユニット２４を含むスライダブロック２０Ｒ，２０Ｌの構成の一部を示す分解斜視図である。
【００３６】
スピーカユニット２４は、電気信号を空気の振動（音）に変換するための振動板と、振動板を駆動する磁気回路（例えばマグネットおよびボイスコイルなど）と、これらを収容するケース２４２、２４３などで構成されるスピーカドライバユニット２４１と、スピーカドライバユニット２４１の蓋体を構成するスピーカカバー２４４およびスピーカグリル２４５とを備える。
【００３７】
ケース２４２、２４３は上ケース２４２と下ケース２４３とで構成される。上ケース２４２には、振動板（図５の２４９）を露出させた状態で振動板の周囲を保持するための振動板保持開口部２４６が設けられている。ケース２４２、２４３はスライダブロック２０Ｒ，２０Ｌのスライダベース２１に固定されたクッション部材２８にネジなどの連結部品を介して固定される。
【００３８】
スピーカカバー２４４は、スピーカドライバユニット２４１の振動板および上ケース２４２の表面との間に空間を形成するように、スピーカドライバユニット２４１の上に装着される。
【００３９】
スピーカグリル２４５は、スピーカカバー２４４の外側をさらに覆う装飾用のカバー部品である。
【００４０】
図３および図４に示したように、スピーカドライバユニット２４１の振動板および上ケース２４２の表面とスピーカカバー２４４との間には空間Ｓが形成される。この空間Ｓ内から外に、所定の指向性をもたせて音圧を放射させるために、スピーカカバー２４４の一側面には上記の空間から音を外部に逃がすための音逃がし口２４７が設けられる。さらにスピーカカバー２４４の外側を覆うスピーカグリル２４５には、上記のスピーカカバー２４４の音逃がし口２４７に対応してスリット開口部２４８が設けられている。スピーカドライバユニット２４１から出力された音圧は、上記の空間Ｓ内から、スピーカカバー２４４の一側面に設けられた音逃がし口２４７およびスピーカグリル２４５のスリット開口部２４８を通して外部に放出される。すなわち、スピーカカバー２４４およびスピーカグリル２４５を総称した蓋体には、音逃がし口２４７とスリット開口部２４８の開口どうしが重なり合った領域が、空間Ｓ内から音を外部に逃がすための実質的な開口部として設けられている。
【００４１】
また、スピーカドライバユニット２４１の振動板から放射された音がスムーズに、スピーカカバー２４４の一側面に設けられた音逃がし口２４７へ向けて誘導され、これらを通じて外部に放出されるように、スピーカカバー２４４および上ケース２４２は次のように構成されている。
【００４２】
１．スピーカカバー２４４の裏面（振動板および上ケース２４２の表面に対向する面）は大部分が平坦な面によって占められている。
２．空間Ｓの高さ位置と音逃し口２４７の高さ位置が略同じになるようにした。
３．スピーカドライバユニット２４１の音逃し口２４７の側とは反対側の半円周に沿う位置で空間Ｓを止めた。すなわち、上記の空間Ｓは、振動板の振動方向から見て、振動板の外形に対応する空間部分Ｓ１と、この空間部分Ｓ１から上記のスピーカカバー２４４の音逃がし口２４７までを連通する空間部分Ｓ２とで構成される。
【００４３】
空間Ｓを音逃し口２４７を除いて密な構造とするために、上ケース２４２の表面とスピーカカバー２４４の裏面とを突き合わせた部分は、クッションシート２５０を挟んで互いに圧接させてある。なお、クッションシート２５０は、振動板の振動に伴う上ケース２４２の振動がスピーカカバー２４４に伝達されるのを抑制するためのものである。
【００４４】
ところで、スピーカカバー２４４の音逃がし口２４７が設けられた一側面とは、ヘッドフォン型音響装置１００をユーザが装着した状態において正面を向く面のことである。言い換えれば、上記空間Ｓの、スライダブロック２０Ｒ，２０Ｌのスライド方向に対して直交する方向にある一端に音逃がし口２４７が設けられる。その理由は以下の通りである。
【００４５】
本実施形態のヘッドフォン型音響装置１００の装着の形態には主に２種類が想定されている。その一つは、図６に示すように、一般的なヘッドフォン使用時の装着形態である。すなわち、左右のハウジングブロック４０Ｒ，４０Ｌをユーザの左右の耳にあてるように装着した形態である。これを「ヘッド装着形態」と呼ぶ。
【００４６】
もう一つは、例えば、図７に示すように、ヘッドバンド１０および左右のスライダブロック２０Ｒ，２０Ｌの部分をユーザの首に掛けて装着した形態である。これを「首掛け形態」と呼ぶ。この首掛け形態では、左右のスピーカユニット２４，２４の音逃がし口２４７はユーザの左右の耳の略直下に位置する。このとき、音逃がし口２４７は上正面を向く。これにより、左右のスピーカユニット２４，２４からの音がユーザの左右の耳に効率的に到達する。
【００４７】
また、図３に示すように、スピーカユニット２４の下ケース２４３は、スライダベース２１にクッション部材２８を介してネジなどにより固定されて支持されている。これにより、スピーカユニット２４の振動がスライダブロック２０Ｒ，２０Ｌのスライダベース２１に伝達されるのを抑制している。
【００４８】
［ヘッドフォン型音響装置１００の電気的な構成］
図８は、本実施形態のヘッドフォン型音響装置１００の電気的な構成を示す図である。
同図に示すように、ヘッドフォン型音響装置１００は、プロセッサ１１０、メモリ１１２、ユーザ操作部１１４、フラッシュメモリ１１６、ヘッドフォンアンプ１１８、スピーカアンプ１１９、ヘッドフォンユニット４４，４４、スピーカユニット２４，２４、外部入力端子１２０、切替回路１２２、バッテリ１２４、各種のセンサー１２５，１２６，１２７、検出回路１２８などを備える。
【００４９】
プロセッサ１１０は、本実施形態のヘッドフォン型音響装置１００の全体の制御、必要な演算処理ならびに信号処理を行う制御回路であり、例えば、ＢＧＡ（Ball Grid Array）などにより構成される。
【００５０】
メモリ１１２は、プロセッサ１１０に実行させるプログラムなどが格納され、プロセッサ１１０の作業領域などとして用いられる。メモリ１１２は、例えばＳＤＲＡＭ(Synchronous Dynamic Random Access Memory)などで構成される。
【００５１】
ユーザ操作部１１４は、例えば、ジョグダイアル、スライドスイッチ、プッシュボタンなど、ユーザからの操作による入力を受け付けるデバイスである。
ユーザ操作部１１４のスイッチとしては、主電源のオン／オフスイッチ、音量ボリュームスイッチ、出力切替スイッチなどがある。出力切替スイッチは、ヘッドフォン出力とスピーカ出力とを択一的に切り替えるためのスイッチである。
【００５２】
プロセッサ１１０は、出力切替スイッチの状態を検出し、この結果から、ユーザがヘッドフォン出力とスピーカ出力のうち、どちらを選択したことを認識する。プロセッサ１１０は、ヘッドフォン出力がユーザにより選択されたことを認識した場合には、ヘッドフォンアンプ１１８をアクティブ状態にすることによってヘッドフォンユニット４４，４４を駆動させる。また、プロセッサ１１０はスピーカ出力がユーザにより選択されたことを認識した場合には、スピーカアンプ１１９をアクティブ状態にすることによってスピーカユニット２４，２４を駆動させる。
【００５３】
フラッシュメモリ１１６は、ユーザデータとして、例えば、オーディオファイルなどが格納される書き換え、消去が可能な不揮発性の記憶装置である。
【００５４】
ヘッドフォンアンプ１１８は、プロセッサ１１０より出力されたオーディオ信号を増幅して、ヘッドフォンユニット４４，４４に供給する。
【００５５】
スピーカアンプ１１９は、プロセッサ１１０より出力されたオーディオ信号を増幅して、スピーカユニット２４，２４に供給する。
【００５６】
外部入力端子１２０は、例えば、スマートフォン、携帯オーディオ機器などの外部機器との接続部である。
【００５７】
切替回路１２２は、外部入力端子１２０への外部機器の接続状態をもとに、ヘッドフォンユニット４４，４４の入力元をヘッドフォンアンプ１１８と外部機器との間で切り替える。すなわち、外部入力端子１２０に外部機器が接続されていないときは、ヘッドフォンユニット４４，４４の入力元をヘッドフォンアンプ１１８とし、外部入力端子１２０に外部機器が接続されているときはヘッドフォンユニット４４，４４の入力元を外部機器とするように切り替える。
【００５８】
バッテリ１２４は、このヘッドフォン型音響装置１００の動作用の電源を蓄積し、供給する。バッテリ１２４は、例えば、リチウムバッテリなどの充電可能なものである。
【００５９】
センサー１２５，１２６，１２７は、このヘッドフォン型音響装置１００の装着形態、設置形態などを推定するための情報を取得するためのセンサー群である。これらのセンサー１２５，１２６，１２７については後で詳細を説明する。
【００６０】
検出回路１２８は、センサー１２５，１２６，１２７の出力を各々検出して、デジタルデータとしてプロセッサ１１０に供給する回路である。より詳細には、検出回路１２８は、例えば、センサー１２５，１２６の出力から低周波成分を取り出し、例えば、予め決められた閾値と比較し、その比較結果を検出結果として出力したり、センサー１２７の出力を対応するデジタルデータに変換してプロセッサ１１０に出力したりする。
【００６１】
その他、このヘッドフォン型音響装置１００は、図示は省略したが、各種のステータスを表示するためのＬＥＤ（Light Emitting Diode）などの表示器、ＵＳＢ（Universal Serial Bus）などの汎用のインタフェースなどを有する。
【００６２】
［オーディオ再生の基本動作］
次に、オーディオ再生の基本動作について説明する。
ユーザ操作部１１４を使ってユーザによって楽曲の再生が指示されると、プロセッサ１１０は、例えば、フラッシュメモリ１１６からその楽曲のオーディオファイルを読み込み、デコード、復調、アナログ信号への変換を行う。プロセッサ１１０は、アナログのオーディオ信号を、ヘッドフォンアンプ１１８とスピーカアンプ１１９のうちアクティブな状態に設定された方のアンプに供給する。
【００６３】
ここで、ヘッドフォンアンプ１１８がアクティブな状態にある場合を想定する。ヘッドフォンアンプ１１８にて増幅されたオーディオ信号はヘッドフォンユニット４４，４４に供給され、ヘッドフォンユニット４４，４４が駆動される。これによりユーザは、ヘッド装着形態でヘッドフォン出力の音楽鑑賞を楽しむことができる。また、スピーカアンプ１１９がアクティブ状態である場合には、プロセッサ１１０は、アナログのオーディオ信号をスピーカアンプ１１９に供給する。スピーカアンプ１１９にて増幅されたオーディオ信号はスピーカユニット２４，２４に供給され、スピーカユニット２４，２４が駆動される。これによりユーザは、スピーカ出力の音楽鑑賞を楽しむことができる。
【００６４】
また、ヘッドフォン出力による音楽鑑賞中に、ユーザはスピーカ出力に切り替えるようにユーザ操作部１１４から指示を入力することができる。プロセッサ１１０は、この指示に従って、ヘッドフォンアンプ１１８をインアクティブ状態に切り替え、スピーカアンプ１１９をアクティブ状態にする。スピーカ出力状態からヘッドフォン出力状態への切り替え時も同様である。
【００６５】
さらに、この実施形態のヘッドフォン型音響装置１００では、ヘッド装着形態、首掛け形態などの装着形態を推定し、推定した装着形態に応じてスピーカ出力とヘッドフォン出力を自動的に切り替えることができる。この動作については後で詳細を説明する。
【００６６】
以上のように、本実施形態のヘッドフォン型音響装置１００では、左右のハウジングブロック４０Ｒ，４０Ｌに各々設けられたヘッドフォンユニット４４，４４に加え、左右のスライダブロック２０Ｒ，２０Ｌにスピーカユニット２４，２４が設けられている。スピーカユニット２４，２４を使用して音楽を楽しむときは、図７に示したように、首掛け形態で使用するよう、製品マニュアル等を通してユーザに対して推奨される。この首掛け形態では、左右のスピーカユニット２４，２４の音逃がし口２４７がユーザの左右の耳の略直下に位置し、かつ略上を向く。すなわち、左右のスピーカユニット２４，２４からの音は下からユーザの耳に向かって放出される。このためスピーカユニット２４，２４の音量をあまり上げなくても、ユーザは十分な音量の音を感知することができる。
【００６７】
さらに、ヘッドバンド１０およびスライダブロック２０Ｒ，２０Ｌを含めた全長サイズはユーザがマニュアルで適宜変えることができる。このため、例えば、図９に示すように、スライダブロック２０Ｒ，２０Ｌからヘッドバンド１０を少し引き出した位置に掛止位置を変更したり、逆に少し押し込んだ位置に掛止位置を変更したりすることによって、ユーザの左右の耳と左右のスピーカユニット２４，２４との位置関係を自由に調整することができる。
【００６８】
また、スピーカ使用時は、ヘッドフォン使用時のように耳が塞がれた状態とならないため、音楽と同時に周囲の音もユーザの耳に入る。このため、移動中のユーザの安全性を向上させることができる。
【００６９】
［センサーの構成］
次に、本実施形態のヘッドフォン型音響装置１００に搭載されているセンサー１２５，１２６，１２７について説明する。
【００７０】
本実施形態のヘッドフォン型音響装置１００には、以下のセンサー１２５，１２６，１２７が各々１以上設けられている。
１．圧力センサー１２５
２．人感センサー１２６
３．その他のセンサー（回転検出センサー１２７、加速度センサーなど）
【００７１】
圧力センサー１２５は、ユーザの人体（頭部、首など）や外部の物体から圧力を受けていることを検出するためのセンサーである。圧力センサー１２５は例えば、図１に示すように、ヘッドバンド１０の例えば頂点付近、左右のハウジングブロック４０Ｒ，４０Ｌの例えばイヤパッド４３などに複数個配置されている。
【００７２】
人感センサー１２６は、例えば温度、静電容量、光などの物理パラメータやその変化を検出して、ユーザの人体の接触または接近を検出するためのセンサーである。例えば、温度の上昇、静電容量の増大、光の反射の無い状態から有る状態への変化を検出したときに、ユーザの人体が接触または接近したものと検知される。人感センサー１２６は、例えば、図１に示すように、ヘッドバンド１０の例えば頂点付近、左右のハウジングブロック４０Ｒ，４０Ｌの例えばイヤパッド４３などに複数個配置されている。
【００７３】
上記のセンサー１２５，１２６，１２７の出力は検出回路１２８に取り込まれる。検出回路１２８は、個々の圧力センサー１２５の出力から低周波成分を取り出して閾値とを比較し、出力と閾値との比較結果（大小の判定結果）を検出結果としてプロセッサ１１０に出力する。また、検出回路１２８は、個々の人感センサー１２６の出力から低周波成分を取り出して閾値とを比較し、出力と閾値との比較結果（大小の判定結果）を検出結果としてプロセッサ１１０に出力する。さらに、検出回路１２８は、その他のセンサー、例えばハウジングブロック４０Ｒ，４０Ｌの回転位置を検出する回転検出センサー１２７の出力を対応する回転位置のデジタルデータに変換してプロセッサ１１０に出力する。
【００７４】
［センサーの検出結果に基づく制御］
本実施形態のヘッドフォン型音響装置１００においてセンサーの検出結果に基づくヘッドフォン出力およびスピーカ出力の切り替え制御について説明する。
【００７５】
まず、本実施形態のヘッドフォン型音響装置１００の装着形態および設置状態として次のようなものを想定する。
１．ヘッド装着形態
２．首掛け形態
３．机上設置状態
４．壁掛け状態
【００７６】
図１０は、ヘッド装着形態を示す図である。
なお、以降の説明においては、必要に応じて、ヘッドバンド１０の例えば頂点付近に設けられた圧力センサーを「圧力センサー１２５Ａ」、左右のハウジングブロック４０Ｒ，４０Ｌの例えばイヤパッド４３などに搭載された複数個の圧力センサーを「圧力センサー１２５Ｂ」、「圧力センサー１２５Ｃ」、ヘッドバンド１０の例えば頂点付近に設けられた人感センサーを「人感センサー１２６Ａ」、左右のハウジングブロック４０Ｒ，４０Ｌの例えばイヤパッド４３などに搭載された複数個の人感センサーを「人感センサー１２６Ｂ」、「人感センサー１２６Ｃ」と呼ぶ。
【００７７】
まず、ヘッド装着形態の場合の動作を説明する。
図１０に示すように、ヘッド装着形態では、ヘッドバンド１０の例えば頂点付近と、左右のハウジングブロック４０Ｒ，４０Ｌの例えばイヤパッド４３に各々設けられた複数の圧力センサー１２５Ａ，１２５Ｂ，１２５Ｃと検出回路１２８によって圧力の発生が検出され、各々の検出結果がプロセッサ１１０に出力される。圧力の発生が検出された場合の検出結果を"ＯＮ"とする。またこのとき、ヘッドバンド１０の例えば頂点付近と、左右のハウジングブロック４０Ｒ，４０Ｌの例えばイヤパッド４３に各々設けられた複数の人感センサー１２６Ａ，１２６Ｂ，１２６Ｃと検出回路１２８によって人体の接触または接近の発生が検出され、各々の検出結果がプロセッサ１１０に出力される。人体の接触または接近の発生が検出された場合の検出結果を"ＯＮ"とする。
【００７８】
プロセッサ１１０は、これらの検出結果をもとにヘッドフォン型音響装置１００の装着形態がヘッド装着形態であることを推定し、ヘッドフォンアンプ１１８をアクティブ状態にする。
【００７９】
なお、その直前までスピーカ出力が行われた場合には、スピーカアンプ１１９をインアクティブ状態にして、ヘッドフォンアンプ１１８をアクティブ状態にする。これにより、スピーカ出力からヘッドフォン出力への切り替えが達成される。
【００８０】
なお、上記の説明では、圧力センサー１２５Ａ，１２５Ｂ，１２５Ｃによる検出結果と人感センサー１２６Ａ，１２６Ｂ，１２６Ｃによる検出結果がすべて"ＯＮ"である場合にヘッドフォンアンプ１１８をアクティブ状態にすることとした。しかし、圧力センサー１２５Ａ，１２５Ｂ，１２５Ｃによる検出結果がすべて"ＯＮ"である場合、あるいは、人感センサー１２６Ａ，１２６Ｂ，１２６Ｃによる検出結果がすべて"ＯＮ"である場合にヘッドフォンアンプ１１８をアクティブ状態にするようにしてもよい。
【００８１】
次に、首掛け形態の場合の動作を説明する。
図１１に示すように、首掛け形態では、ヘッドバンド１０の例えば頂点付近に設けられた圧力センサー１２５Ａと検出回路１２８によって圧力の発生が検出される。またこのとき、ヘッドバンド１０の例えば頂点付近に設けられた人感センサー１２６Ａによって人体の接触または接近の発生が検出され、各々の検出結果がプロセッサ１１０に出力される。
【００８２】
ところで、首掛け形態では、ヘッドフォン型音響装置１００を装着する場合の適切な向きがある。すなわち、左右のスピーカユニット２４，２４の音逃がし口２４７が上を向くように装着しなければ、ユーザの耳に音が届くにくくなる。この実施形態のヘッドフォン型音響装置１００では、正しい向きでの首掛け形態となっているかどうかを判定するための圧力センサー１２５Ｄ（図２、図１１参照）が設けられている。
【００８３】
圧力センサー１２５Ｄは、正しい向きでの首掛け形態となっているときにユーザの胸の部分などにあたるような位置に設けられる。例えば、左右のハウジングブロック４０Ｒ，４０Ｌの例えばイヤパッド４３の側面などに設けられる。
【００８４】
プロセッサ１１０は、ヘッドバンド１０の例えば頂点付近に設けられた圧力センサー１２５Ａによって圧力の発生が検出され、かつ人感センサー１２６Ａによって人体の接触または接近の発生が検出され、かつ圧力センサー１２５Ｄによって圧力の発生が検出されたとき、正しい向きでの首掛け形態となっているものとして、スピーカアンプ１１９をアクティブ状態にする。
【００８５】
なお、その直前にヘッドフォン出力が行われた場合には、ヘッドフォンアンプ１１８をインアクティブ状態にして、スピーカアンプ１１９をアクティブ状態にする。これにより、ヘッドフォン出力状態からスピーカ出力状態への切り替えが達成される。
【００８６】
また、例えば図１２に示すように、誤った向きでの首掛け形態となっている場合には、圧力センサー１２５Ｄによって圧力の発生が検出されないことによって、プロセッサ１１０は、スピーカアンプ１１９をアクティブ状態にしない。このとき、プロセッサ１１０が、合成音声によって正しい向きでの首掛け形態にするようにユーザに報知を行うようにしてもよい。
【００８７】
次に、机上設置状態の場合の動作を説明する。
図１３に示すように、机上設置状態では、スピーカユニット２４，２４の音逃し口２４７をユーザ側に向けるために、左右のハウジングブロック４０Ｒ，４０Ｌのイヤパッド４３を下に向け（机の上面に対向させ）、左右のハウジングブロック４０Ｒ，４０Ｌを脚部としてヘッドフォン型音響装置１００を机の上に自立させる。
【００８８】
このとき、左右のハウジングブロック４０Ｒ，４０Ｌのイヤパッド４３に設けられたすべての圧力センサー１２５にて圧力が検出される。また、このときにイヤパッド４３に設けられた人感センサー１２６は机の表面に反応しないため、すべての人感センサー１２６による検出結果は"ＯＦＦ"である。プロセッサ１１０は、これら圧力センサー１２５と人感センサー１２６の検出結果を受けると、スピーカアンプ１１９をアクティブ状態にする。
【００８９】
その直前にヘッドフォン出力が行われた場合には、ヘッドフォンアンプ１１８をインアクティブ状態にして、スピーカアンプ１１９をアクティブ状態にする。これにより、ヘッドフォン出力状態からスピーカ出力状態への切り替えが達成される。
【００９０】
なお、この机上設置状態の検出の条件として、ハウジングブロック４０Ｒ，４０Ｌの回転位置を検出する回転検出センサー１２７によって、ハウジングブロック４０Ｒ，４０Ｌが机上設置状態時の回転位置にあることが検出されたこと、を加えてもよい。また、回転検出センサー１２７の検出結果とすべての人感センサー１２６による検出結果とをもとに机上設置状態の検出を行うようにしてもよい。
【００９１】
このように、本実施形態によれば、ヘッドフォン型音響装置１００を机の上に、決められた状態で設置するだけで、自動的にスピーカ出力に切り替えることができる。
【００９２】
次に、壁掛け状態の場合の動作を説明する。
図１４に示すように、ここで言う壁掛け状態とは、壁に固定されたフック５０にヘッドフォン型音響装置１００のヘッドバンド１０の部分を掛けた状態を言う。
【００９３】
この状態では、ヘッドバンド１０に設けられた圧力センサー１２５Ａと検出回路１２８によって圧力の発生が検出され、その検出結果がプロセッサ１１０に出力される。一方、すべての人感センサー１２６による検出結果は"ＯＦＦ"である。プロセッサ１１０は、これら圧力センサー１２５Ａと人感センサー１２６の検出結果を受けると、スピーカアンプ１１９をアクティブ状態にする。
【００９４】
その直前にヘッドフォン出力が行われた場合には、ヘッドフォンアンプ１１８をインアクティブ状態にして、スピーカアンプ１１９をアクティブ状態にする。これにより、ヘッドフォン出力状態からスピーカ出力状態への切り替えが達成される。
【００９５】
以上、各センサー１２５，１２６、１２７による検出結果をもとにヘッドフォン型音響装置１００の装着形態や設置状態を推定し、ヘッドフォン出力とスピーカ出力とを切り替える動作について説明したが、以上に挙げた各センサーによる検出結果の組み合わせ以外の組み合わせがオーディオ再生中に発生した場合、プロセッサ１１０は想定外の状態として、再生を停止させるように制御を行う。
【００９６】
以上説明したように、本実施形態のヘッドフォン型音響装置１００によれば、各種のセンサー１２５，１２６，１２７の検出結果をもとにヘッドフォン型音響装置１００の装着形態や設置状態を推定し、推定した装着形態や設置状態に応じて、ヘッドフォン出力とスピーカ出力を自動的に切り替えることができる。これにより、ユーザは音楽鑑賞中に使用形態を変えても、継続して音楽鑑賞を続けることができる。
【００９７】
＜変形例１＞
次に、第１の実施形態のヘッドフォン型音響装置１００の変形例を説明する。
図１３および図１４に示したように、ヘッドフォン型音響装置１００を机上設置状態または壁掛け状態で使用した場合、スピーカユニット２４からの音を略水平方向に放出させるために、スピーカユニット２４，２４の音逃がし口２４７はスライダブロック２０Ｒ，２０Ｌの長手方向に対して直交する方向もしくは略直交する方向に面するように設けられている。
【００９８】
しかし、ユーザの顔や首周りのサイズなどに応じてスライダブロック２０Ｒ，２０Ｌにおけるヘッドバンド１０の挿入の深さが変わるため、首掛け形態時においてユーザの耳とスピーカユニット２４，２４との位置関係も変わる。例えば、ユーザの顔や首周りのサイズが大きいユーザほど、スピーカユニット２４，２４はユーザの顎の位置に近付く。
【００９９】
そこで、スライダブロック２０Ｒ，２０Ｌにおけるヘッドバンド１０の挿入の深さを、別途設けられたセンサー（図示せず）により検出し、この検出結果に応じて、例えば、図１５に示すように、スピーカユニット２４，２４の音逃がし口２４７がユーザの耳に向くように、スピーカユニット２４，２４を回動させる方式が考えられる。
【０１００】
このような動作を実現するためには、例えば、スライダブロック２０Ｒ，２０Ｌにおけるヘッドバンド１０の挿入の深さを検出するためのセンサーなどの検出手段と、スライダブロック２０Ｒ，２０Ｌにおいてスピーカユニット２４，２４を回動させる機構が必要である。プロセッサ１１０には、挿入量と、これに対して最適な回転量とを対応付けたテーブルが記憶される。プロセッサ１１０はセンサーなどの検出手段によって検出される挿入量をもとにテーブルから最適な回転量を参照して、スピーカユニット２４，２４を、その回転量だけ回動させるための制御信号を上記の機構に出力する。
【０１０１】
＜変形例２＞
上記の第１の実施形態のヘッドフォン型音響装置１００では、ヘッドフォン出力とスピーカ出力とを排他的に切り替えることとした。変形例２は、ヘッドフォン出力とスピーカ出力を同時に行う再生モードを導入したものである。
【０１０２】
図１６は変形例２のヘッドフォン型音響装置１００Ｂの電気的な構成を示す図である。
ヘッドフォンアンプ１１８の出力をスピーカ出力程度に上げるため、ヘッドフォンアンプ１１８の出力とヘッドフォンユニット４４，４４との間にフィルター１３１、アンプ１３２、スイッチ１３３が接続される。
【０１０３】
ここで、フィルター１３１は、ヘッドフォンアンプ１１８からのヘッドフォン出力用のオーディオ信号に対してサラウンド処理を施すものである。アンプ１３２は、フィルター１３１より出力されたオーディオ信号をスピーカ出力用のレベルに増幅する。スイッチ１３３は、プロセッサ１１０からの切り替え信号に従ってヘッドフォンアンプ１１８の出力とアンプ１３２の出力とを切り替えてヘッドフォンユニット４４，４４に供給する。
【０１０４】
この変形例２のヘッドフォン型音響装置１００Ｂにおいて、プロセッサ１１０は、ヘッドフォン出力とスピーカ出力が同時に行われるように、ヘッドフォンアンプ１１８およびスピーカアンプ１１９をアクティブ状態とする。また、プロセッサ１１０は、アンプをアクティブ状態とし、スイッチ１３３をアンプ１３２側の出力を選択するように切り替え制御信号により制御する。これにより、スピーカアンプ１１９より出力されたオーディオ信号がスピーカユニット２４より音となって出力される。その一方で、ヘッドフォンアンプ１１８より出力されたオーディオ信号はフィルター１３１にてサラウンド処理が施されてアンプ１３２に入力され、アンプ１３２にてスピーカ出力レベルに増幅された後、スイッチ１３３を介してヘッドフォンユニット４４，４４に導入される。この結果、スピーカユニット２４とヘッドフォンユニット４４，４４の各々からスピーカ出力レベルの音が同時に出力される。これにより、ヘッドフォン出力に付与されたサラウンド感をさらにアップさせることができる。
【０１０５】
さらに、プロセッサ１１０は、ヘッドフォン型音響装置１００Ｂのヘッド装着形態、首掛け形態など、推定された装着形態に応じて、ヘッドフォン出力とスピーカ出力のバランス調整、音声位相補正などの処理のための最適なパラメータを選択する。これにより、サラウンド感をよりいっそう高めることができる。
【０１０６】
＜変形例３＞
次に、ヘッド装着形態から首掛け形態への移行時のヘッドフォン出力とスピーカ出力の制御について説明する。
【０１０７】
図１７は、ヘッド装着形態から首掛け形態への移行時のヘッドフォン出力とスピーカ出力の変化のタイムチャートである。
【０１０８】
図１７において、ヘッド装着時、ヘッドバンド１０の圧力センサー１２５Ａ、および左右のハウジングブロック４０Ｒ，４０Ｌの例えばイヤパッド４３などに搭載された圧力センサー１２５Ｂ，１２５Ｃによるすべての検出結果は"ＯＮ"である。また、人感センサー１２６Ａ，１２６Ｂ，１２６Ｃによるすべての検出結果も"ＯＮ"である。
【０１０９】
ヘッド装着形態から首掛け形態への移行の初期動作として、ユーザは自分の耳から左右のハウジングブロック４０Ｒ，４０Ｌを引き離す。その瞬間、左右のハウジングブロック４０Ｒ，４０Ｌの例えばイヤパッド４３などに搭載された圧力センサー１２５Ｂ，１２５Ｃによる検出結果は"ＯＦＦ"になる。一方、人感センサー１２６Ｂ，１２６Ｃの出力は人体との距離に対応した値となる。検出回路１２８は、人感センサー１２６Ｂ，１２６Ｃの出力から、ヘッドフォン型音響装置がユーザから外されている状態、ヘッド装着形態から首掛け形態への移行状態を各々判別するための異なる閾値を持っている。したがって、ヘッド装着形態から首掛け形態への移行中は、人感センサー１２６Ｂ，１２６Ｃの出力から検出回路１２８はその移行状態を示す検出結果をプロセッサ１１０に出力する。
【０１１０】
ヘッド装着形態から首掛け形態への移行中、プロセッサ１１０は、ヘッドフォン出力を一定時間をかけて徐々に大きくし、その状態を一定時間継続させ、その後、一定時間を掛けて"０"まで小さくして行く。これらの時間は、ヘッド装着形態から首掛け形態への移行に要する時間を考慮して予め決められている。ヘッドフォン出力を一定時間をかけて徐々に大きくするのは、左右のハウジングブロック４０Ｒ，４０Ｌがユーザの耳から離れて行くことに従ってユーザの耳に届く音量を大きく変化させないためである。
【０１１１】
プロセッサ１１０は、増大させたヘッドフォン出力を継続させる一定時間が経過したタイミングで、スピーカ出力を"ＯＮ"に切り替え、そのタイミングから一定時間をかけてスピーカ出力を"０"から徐々に適温量まで増大させ、そのままスピーカ出力を継続させる。これにより、ヘッドフォン出力からスピーカ出力への移行時にユーザの耳に届く音量的な切れ目の発生を抑制することができる。
【０１１２】
また、ヘッド装着形態から首掛け形態への移行時に、ヘッドフォン出力が"０"になるまでのタイミングは、スピーカ出力が適音量になるまでのタイミングよりも後になるようにしている。これは、ヘッドフォン出力の急停止によって、音の切れ目ができるのを防止するためである。
【０１１３】
＜変形例４＞
図１８は、変形例４のヘッドフォン型音響装置１００Ｃの電気的な構成を示す図である。
プロセッサ１１０Ｃには、外部入力端子１２０と接続されたラインイン端子１１７が設けられている。外部入力端子１２０に外部機器が接続されると、ラインイン端子１１７を通じてプロセッサ１１０Ｃがこれを認識する。すると、プロセッサ１１０Ｃは、ヘッドフォンユニット４４，４４の入力元をヘッドフォンアンプ１１８から外部機器へと切り替えるように制御を行う。
【０１１４】
なお、本技術は以下のような構成もとることができる。
（１）各々ヘッドフォンユニットを搭載した一対のハウジングブロックと、
前記各々のハウジングブロックを両端部に支持し、かつ一対のスピーカユニットを搭載したヘッドバンド部と、
ユーザによる装着形態を推定するための情報を取得する１以上のセンサーと、
前記１以上のセンサーの出力をもとに前記装着形態を推定し、前記推定された装着形態をもとに前記一対のヘッドフォンユニットおよび前記一対のスピーカユニットの出力を制御する制御部と
を具備するヘッドフォン型音響装置。
【０１１５】
（２）前記（１）に記載のヘッドフォン型音響装置であって、
前記制御部は、前記推定された装着形態に応じて、前記一対のヘッドフォンユニットの出力をオンにするか、前記一対のスピーカユニットの出力をオンにするかを決定する
ヘッドフォン型音響装置。
【０１１６】
（３）前記（１）から（２）のうちいずれか１つに記載のヘッドフォン型音響装置であって、
前記推定対象の装着形態が、少なくとも前記一対のハウジングブロックおよび前記ヘッドバンド部との係合による第１の装着形態と、前記ヘッドバンド部との係合による第２の装着形態とを含み、
前記制御部は、前記第１の装着形態が推定されたとき、少なくとも前記一対のヘッドフォンユニットをオンにし、前記第２の装着形態が推定されたとき、少なくとも前記一対のスピーカユニットをオンにする
ヘッドフォン型音響装置。
【０１１７】
（４）前記（１）から（３）のうちいずれか１つに記載のヘッドフォン型音響装置であって、
前記制御部は、前記第２の装着形態が推定されたとき、前記一対のスピーカユニットと前記一対のヘッドフォンユニットをともにオンにする
ヘッドフォン型音響装置。
【０１１８】
（５）前記（１）から（４）のうちいずれか１つに記載のヘッドフォン型音響装置であって、
前記検出部が、
前記第１の装着形態で前記一対のハウジングブロックにおいてユーザと接触し得る部位と、前記ヘッドハンド部においてユーザと接触し得る部位に各々設けられた１以上の圧力センサーおよび１以上の人感センサーを有し、
前記制御部は、前記１以上の圧力センサーおよび前記１以上の人感センサーによる検出結果をもとに、前記装着形態を推定する
ヘッドフォン型音響装置。
【０１１９】
（６）前記（１）から（５）のうちいずれか１つに記載のヘッドフォン型音響装置であって、
前記制御部は、前記１以上の圧力センサーおよび前記１以上の人感センサーによる検出結果をもとに前記第１の装着形態から前記第２の装着形態への移行状態を推定し、この移行状態が推定されたとき、前記第２の装着形態が推定される前に前記スピーカユニットをオンにし、かつ前記第２の装着形態が推定されるまで前記ヘッドフォンユニットをオンに保つ
ヘッドフォン型音響装置。
【０１２０】
（７）前記（１）から（６）のうちいずれか１つに記載のヘッドフォン型音響装置であって、
前記制御部は、前記第１の装着形態の終了が推定された後、一定時間前記ヘッドフォンユニットの出力を前記第１の装着形態時の出力より大きくし、前記一定時間経過後、徐々に出力を小さくする
ヘッドフォン型音響装置。
【０１２１】
（８）前記（１）から（７）のうちいずれか１つに記載のヘッドフォン型音響装置であって、
前記制御部は、前記１以上の圧力センサーおよび前記１以上の人感センサーによる検出結果をもとに、前記ヘッドフォン型音響装置が前記一対のハウジングブロックで自立した第１の設置状態を推定し、前記一対のスピーカユニットをオンにする
ヘッドフォン型音響装置。
【０１２２】
（９）前記（１）から（８）のうちいずれか１つに記載のヘッドフォン型音響装置であって、
前記制御部は、前記１以上の圧力センサーおよび前記１以上の人感センサーによる検出結果をもとに、前記ヘッドフォン型音響装置が前記ヘッドバンド部を支点に吊り下げられて設置されている第２の設置状態を推定し、前記一対のスピーカユニットをオンにする
ヘッドフォン型音響装置。
【符号の説明】
【０１２３】
１０…ヘッドバンド
２０Ｒ，２０Ｌ…スライダブロック
２４…スピーカユニット
４０Ｒ，４０Ｌ…ハウジングブロック
４４…ヘッドフォンユニット
１００…ヘッドフォン型音響装置
１１０…プロセッサ
１１２…メモリ
１１４…ユーザ操作部
１１８…ヘッドフォンアンプ
１１９…スピーカアンプ
１２５…圧力センサー
１２６…人感センサー
１２７…回転検出センサー
１２８…検出回路
【図１】
2015037246.tif 000003
【図２】
2015037246.tif 000004
【図３】
2015037246.tif 000005
【図４】
2015037246.tif 000006
【図５】
2015037246.tif 000007
【図６】
2015037246.tif 000008
【図７】
2015037246.tif 000009
【図８】
2015037246.tif 000010
【図９】
2015037246.tif 000011
【図１１】
2015037246.tif 000012
【図１２】
2015037246.tif 000013
【図１３】
2015037246.tif 000014
【図１４】
2015037246.tif 000015
【図１５】
2015037246.tif 000016
【図１６】
2015037246.tif 000017
【図１７】
2015037246.tif 000018
【図１８】
2015037246.tif 000019
【図１０】
2015037246.tif 000020